(57)【要約】      （修正有）【課題】電子装置の表示器及びタッチパネルにおいて、フレーム上へ容易に、かつ確実に取り付けられる平坦面を有し、可視領域が増加する平坦なタッチパネルを提供する。【解決手段】タッチパネル１は、第一基板１０、第二基板１３、上部透明導電フィルム１１、下部透明導電フィルム１２、多数のスペーサ、２つのＸ軸導電線１１０、２つのＹ軸導電線１３０、２つの第一引き出し線１１１、２つの第二引き出し線１３１ａ、１３１ｂ、及び柔軟なプリント回路板１４を有する。【選択図】図１
0003152077.tif 000002
【実用新案登録請求の範囲】
【請求項１】
第一上面と第二底面を有する第一基板；
前記第一底面と第二底面に面する第二上面を有する第二基板であって、多数の下部導電線が前記第二基板の第二底面上に形成される第二基板；
前記第一基板の第一底面上に形成される上部透明導電フィルム、および前記上部透明導電フィルム上に形成される少なくとも一つの上部導電線；
前記第二基板の第二上面上に形成され、前記上部透明導電フィルムへ結合される下部透明導電フィルムであって、スペーサが前記上部透明導電フィルムと前記下部導電フィルムの間に形成される、下部透明導電フィルム；
前記上部導電線に対応し、上部導電線と下部透明導電フィルムへ電子的に接続するため、導電材で充填された前記下部透明導電フィルムと前記第二基板を介して画定される少なくとも一つの貫通孔；
前記少なくとも一つの第一貫通孔に隣接し、前記下部導電線の端部に対応し、前記下部透明導電フィルムに電子的に接続するため、前記導電材料で充填された、前記第二基板を介して画定される多くの第二貫通孔；及び
前記第二基板の第二底面に取り付けられ、多くの端子を有する柔軟なプリント回路板であって、前記多くの端子が対応する第一と第二の貫通孔の導電材料に電子的に接続される、柔軟なプリント回路板；
を備える平坦なタッチパネル。
【請求項２】
前記第一と第二の貫通孔の各々の中に、夫々存在する多くの金属球を、更に備える請求項１に記載の平坦なタッチパネル。
【請求項３】
前記導電材料がエポキシである、請求項２に記載の平坦なタッチパネル。
【請求項４】
前記上部と下部の透明導電フィルムが、前記少なくとも一つの上部導電線と、前記柔軟なプリント回路板の対応する端子へ電子的に接続するように、異方性導電フィルムにより結合される、請求項３に記載の平坦なタッチパネル。
【請求項５】
前記ＦＰＣが、端子と前記対応する上部と下部の導電線を電子的に接続するように、前記第二基板の第二底面上に取り付けられる、請求項４に記載の平坦なタッチパネル。
【請求項６】
前記上部透明導電フィルムが４つの外周を有し、前記上部導電線が前記４つの外周上に形成され；
前記第二基板の第二底面が２つのＸ軸外周と、２つのＹ軸外周を有し、
前記多数の下部導電線のうちの２つは、前記２つのＸ軸と１つのＹ軸の外周上に形成され、
その各々はＸ軸部分とＹ軸部分を有し、前記２つのＹ軸部分の自由端は前記第二貫通孔に対応し；及び
前記多数の下部導電線の内の他の２つは、前記Ｙ軸部分上に形成され、その自由端は前記他の第二貫通孔に対応する、請求項１〜５のいずれか一項に記載の平坦なタッチパネル。
【請求項７】
前記上部透明導電フィルムが２つのＸ軸外周と、２つのＹ軸外周を有し、２つの上部導電線が前記対応するＸ軸外周上に形成され；
前記第二基板の第二底面が２つのＸ軸外周と２つのＹ軸外周を有し、前記第二貫通孔が前記Ｙ軸外周上に画定され、前記柔軟なプリント回路板が前記Ｙ軸外周上に取り付けられ；及び
２つの下部導電線が前記第二底面の２つのＸ軸と１つのＹ軸外周上に形成され、その各々が、Ｙ軸部分と、前記Ｙ軸部分端部と前記柔軟なプリント回路板の対応する端子の間に接続される引き出し線を有する、請求項１〜５のいずれか一項に記載の平坦なタッチパネル。
【考案の詳細な説明】
【技術分野】
【０００１】
本考案はタッチパネル、特にタッチパネルの外に取り付けられる柔軟なプリント回路を備える平坦なタッチパネルに関する。
【背景技術】
【０００２】
タッチパネルはコンピュータのモニタ上に取り付けられるために使用され、コンピュータの入力装置として使用される。一般にタッチパネルとモニタはフレーム内に組み込まれる。タッチパネルは、更にコンピュータへ電子的に接続され、柔軟なプリント回路板（以後ＦＰＣ）はパネル回路へ取り付けられ、信号変換器へ接続するために使用される。従ってコンピュータは信号変換器を介して座標データを得る。
【０００３】
タッチパネルには抵抗型、容量型、超音波型又はＩＲ型などの多くの型がある。
【０００４】
図７を参照して、従来の４線トランジスタ型タッチパネル（３）は、何故平坦度が必要かを説明するために、一例として使用される。抵抗型タッチパネルは第一基板（３０）、第一ＩＴＯフィルム（３１）、第二ＩＴＯフィルム（３３）、第二基板（３４）、及びＦＰＣ（３２）を有する。第一ＩＴＯフィルム（３１）は第一基板（３０）の底面上に取り付けられ、第二ＩＴＯフィルム（３３）は第二基板（３４）の上面上に取り付けられる。２つのＸ軸導電線（３３１）は第一ＩＴＯフィルム（３１）の２つの対向するＸ軸外周上に形成され、２つの第一引き出し線（３１２）はＹ軸外周上に形成され、夫々Ｘ軸導電線（３１１）へ接続される。２つのＹ軸導電線（３３１）は、第二ＩＴＯフィルム（３３）の２つの対向するＹ軸外周上に形成される。１つの第二引き出し線（３３２ａ）は１つのＹ軸導電線（３３１）へ接続されるＬ型線であり、もう１つの第二引き出し線（３３２ｂ）はもう１つのＹ軸導電線（３３１）へ接続される。第一と第二の引き出し線（３１１、３１２）は同一Ｙ軸外周上に形成される。ＦＰＣ（３２）の一端は第一と第二の引き出し線（３１２、３３２ａ、３３２ｂ）の端部へ整列され、第一と第二の基板（３０、３４）の間に挟まれる。更に、第一と第二の基板（３０、３４）が結合される場合、多数のスペーサ（表示なし）が第一と第二のＩＴＯフィルム（３１、３３）の間に形成される。
【０００５】
図８を更に参照して、図７の抵抗型タッチパネル（３）の上面図を示す。Ｘ軸とＹ軸の導電線（３１１、３３１）、及び第一と第二の引き出し線（３１２、３３２ａ、３３２ｂ）は、線の短絡を防止するため、重ねないので、タッチパネル（３）の可視領域は更に増加しない。更に、ＦＰＣ（３２）は特定の厚さを有するので、ＦＰＣ（３２）端部に対応するタッチパネル（３）の一部は、第一基板（３０）の上面より持ち上げられる。従って、タッチパネル（３）は平坦面ではない。タッチパネルの非平坦面により、タッチパネルがフレームを固定できない。
【０００６】
近年、ある電子装置の表示器及びタッチパネルは、電子装置のケース外形に適合させるため、円形や楕円形のような他の形状を必要とする。図９を更に参照して、一般に第一基板（３０）と第二基板は長方形であり、電子装置の上部ケースは、更に楕円形開口（４０）になる。上部ケースが長方形のタッチパネル（３）上を覆う場合、電子装置は楕円形タッチパネルを有する。しかし、上部ケースで覆われる可視領域部は無駄になる。
【考案の概要】
【０００７】
この考案の主目的は、フレーム上へ容易に、かつ確実に取り付けられる平坦面を有し、可視領域が増加する平坦なタッチパネルを提供することである。
【０００８】
平坦なタッチパネルは上部と下部の基板、それに対応する第一と第二の基板上に形成される上部と下部の透明な導電フィルム、及び下部基板の底面上に取り付けられるＦＰＣを有する。少なくとも１つの上部導電線が上部透明導電フィルム上に形成される。多数の下部導電線が第二基板の底面上に形成される。上部導電線は第一貫通孔内の導電材料を介してＦＰＣの対応する端子へ電子的に接続される。下部透明導電フィルムは、材料を備える第二貫通孔、および下部導電線を介して、ＦＰＣの対応する端子へ電子的に接続される。下部導電線とＦＰＣは下部基板の底面上に直接形成されるので、タッチパネルの平坦度は良好で、可視領域は増加する。
【０００９】
本考案の他の目的、利点及び新規特性は、付属図面と合わせて、以下の詳細な記述から明らかになるだろう。
【図面の簡単な説明】
【００１０】
【図１】この考案による平坦なタッチパネルの第一実施例の展開斜視図である。
【図２】図１の２‐２線に沿った平坦なタッチパネルの断面図の一部である。
【図３ａ】図１の３‐３線に沿った平坦なタッチパネルの断面図の一部である。
【図３ｂ】図１の３‐３線に沿った平坦なタッチパネルの別の断面図の一部である。
【図４】図１の４‐４線に沿った平坦なタッチパネルの断面図の一部である。
【図５】この考案による平坦なタッチパネルの第二実施例の展開斜視図である。
【図６】この考案による上部ケースにより覆われる平坦なタッチパネルの第三実施例の展開斜視図である。
【図７】従来技術による従来のタッチパネルの展開斜視図である。
【図８】図７の上面図である。
【図９】上部ケースにより覆われるタッチパネルの展開斜視図である。
【考案を実施するための形態】
【００１１】
図１と図２を参照して、平坦なタッチパネル（１）の第一実施例は４線型及び抵抗型タッチパネルである。タッチパネル（１）は、第一基板（１０）、第二基板（１３）、上部透明導電フィルム（１１）、下部透明導電フィルム（１２）、多数のスペーサ（１５）、２つのＸ軸導電線（１１０）、２つのＹ軸導電線（１３０）、２つの第一引き出し線（１１１）、２つの第二引き出し線（１３１ａ、１３１ｂ）、及び柔軟なプリント回路板（ＦＰＣ）（１４）を有する。
【００１２】
上部透明導電フィルム（１１）は第一基板（１０）の底面上に形成される。
【００１３】
２つのＸ軸導電線（１１０）は、夫々上部透明導電フィルム（１１）底面の２つの対向するＸ軸外周上に形成される。２つの第一引き出し線（１１１）は、上部透明導線フィルム（１１）底面のＹ軸外周上に形成され、各第一引き出し線（１１１）の一端は対応するＸ軸導電線（１１０）へ接続される。第一引き出し線（１１１）の他端は、更にＹ軸外周縁へ伸びる。
【００１４】
図３Ａを参照して、下部透明導電フィルム（１２）は第二基板（１３）上面上に形成され、Ｙ軸外周縁上の第一引き出し線（１１１）の２つの自由端に対応する２つの貫通孔（１２０）を有する。
【００１５】
２つのＹ軸導電線（１３０）は、夫々第二基板（１３）底面の２つの対向するＹ軸外周上に形成される。第二引き出し線（１３１ａ、１３１ｂ）は第二基板（１３）底面上に形成される。２つの第二引き出し線（１３１ａ）の１つはＬ型で、その一端は対応するＹ軸導電線（１３０）の一端へ接続される。もう１つの第二引き出し線（１３１ｂ）の一端は、もう１つのＹ軸導電線（１３０）へ接続される。第二引き出し線（１３１ａ、１３１ｂ）の自由端は、更に上部透明導電フィルム（１１）のＹ軸外周に対応するＹ軸外周縁へ伸びる。
【００１６】
図３Ａを参照して、第二基板（１３）は２つの第一貫通孔（１３３）、２つの第二貫通孔（１３２ａ）、及び２つの第三貫通孔（１３２ｂ）を有する。第一貫通孔（１３３）は下部透明導電フィルム（１２）の２つの貫通孔（１２０）と連通する。２つの第二貫通孔（１３２ａ）はＹ軸導電線（１３０）の２つの端部に対応する。２つの第三貫通孔（１３２ｂ）はもう１つのＹ軸導電線（１３０）の２つの端部に対応する。第二と第三の貫通孔（１３２ａ、１３２ｂ）の各々は、エポキシ（１８）のような導電材料で充填される。下部透明導電フィルム（１２）の第一貫通孔（１３３）と２つの貫通孔（１２０）は、同様にエポキシ（１８）で充填される。図３Ｂを参照して多数の金属球（１９）は貫通孔（１２０、１３３、１３２ａ、１３２ｂ）の中へ挿入され、次にエポキシ（１３３）は更に貫通孔（１２０、１３３、１３２ａ、１３２ｂ）に充填される。好適な実施例で、異方性導電フィルム（ＡＣＦ）（１２１）は、第一と下部の透明導電フィルム（１１、１２）を結合するため、下部透明導電フィルム（１２）の４つの外周上に形成される。従って、下部透明フィルムの第一貫通孔（１３３）と貫通孔（１２０）の中のエポキシ（１８）は、上部透明導電フィルム（１１）上の第一引き出し線（１１１）の端部へ電子的に接続される。第二貫通孔（１３２ａ）のエポキシ（１８）は、下部透明導電フィルム（１２）底面の１つのＹ軸導電線（１３０）と対応するＹ軸外周の間を電子的に接続する。第三貫通孔（１３２ｂ）のエポキシ（１８）は、図４に示すように、下部透明導電フィルム（１２）底面のもう１つのＹ軸導電線（１３０）と、もう１つのＹ軸外周の間を電子的に接続するために使用される。
【００１７】
図２を更に参照して、ＦＰＣは第一貫通孔（１３３）及び２つの第二引き出し線（１３１ａ）の端部に対応する４つの上部端子（１４１）を有する。ＦＰＣ（１４）は第二基板（１３）の底面上に取り付けられ、２つの第二引き出し線（１３１ａ、１３１ｂ）の端部、及び第一貫通孔（１３１）のエポキシ（１８）へ電子的に接続される。好適実施例で、ＡＣＦ（１２１）はＦＰＣ（１４）の４つの端子上に形成される。ＦＰＣ（１４）は第二基板（１３）の底面上に取り付けられ、４つの端子（１４１）は第二引き出し線（１３１ａ、１３１ｂ）の対応する端部、及び第一貫通孔（１３３）のエポキシ（１８）へ電子的に接続することが可能である。
【００１８】
前記記述に基づき、２つのＹ軸導電線（１３０）及び２つの第二引き出し線（１３１ａ、１３１ｂ）は、第二基板（１３）の底面上に直接形成される。Ｘ軸とＹ軸の導電線（１１０、１３０）は外周縁を閉じ、タッチパネル（１）の可視領域は増加する。更に、ＦＰＣ（１４）は第二基板（１３）の底面にも直接取り付けられる。従って、タッチパネル（１）の平坦度は、第一と第二の基板（１０、１３）が結合された後も良好である。タッチパネル（１）の第一実施例は抵抗型であるので、スペーサ（１５）は、第一と第二の基板（１０、１３）が結合される場合、第一と下部透明導電フィルム（１１、１２）の間に形成される。
【００１９】
図５を参照して、タッチパネル（１ａ）の第二実施例は、５線型の抵抗型であり、第一実施例に類似する。タッチパネル（１ａ）も、第一基板（１０）、第二基板（１３）、上部透明導電フィルム（１１）、下部透明導電フィルム（１２）、多くのスペーサ（表示なし）、上部導電線（１１０´）、４つの下部導電線（１３０´）、４つの引き出し線（１３１´ａ）及びＦＰＣ（１４）を有する。
【００２０】
上部導電線（１１０´）は上部透明導電フィルム（１１）底面の３つの外周上に形成される。４つの下部導電線（１３０´）は第二基板（１３）底面上に形成される。下部導電線（１３０´）の内の２つはＸ軸外周上に形成され、下部導電線（１３０´）の他の２つは、１つのＹ軸外周上に形成される。４つの引き出し線（１３１´）のうちの２つは、同じＹ軸外周上に形成され、対応するＸ軸導電線（１３０´）の端部へ接続される。４つの引き出し線（１３１´）の他の２つは、同一Ｙ軸外周上に形成され、対応するＹ軸導電線（１３０´）の端部へ接続される。４つの引き出し線の自由端はＦＰＣ（１４´）の４つの端子（１４１）に対応するため、Ｙ軸外周縁部へ伸びる。
【００２１】
ＦＰＣ（１４´）は第二基板（１３）の下部へ取り付けられるので、上部導電線（１１０´）はＦＰＣ（１４´）の対応する端子（１４１）へ電子的に接続されなければならない。従って、２つの第一貫通孔（１２０´、１３３´）は、夫々下部透明導電フィルム（１２）上、及び上部導電線（１１０´）に対応する第二基板（１３）上に画定される。更に、４つの下部導電線（１３０´）は第二基板（１３）底面上に形成されるので、４つの第二貫通孔（１３２´）は第二基板（１３）上に画定され、夫々４つの下部導電線（１３０´）の自由端に対応する。
【００２２】
第一貫通孔（１２０´、１３３´）と第二貫通孔（１３２´）はエポキシで充填されるか、又は金属球が、更に貫通孔内へ挿入される。従って、上部透明導電フィルム（１１）を備える第一基板、及び下部透明導電フィルム（１２）を備える第二基板（１３）がＡＣＦにより結合される場合、４つの下部導電線（１３０´）は下部透明導電フィルム（１２）へ電子的に接続される。従って、ＦＰＣ（１４´）の端子（１４１）は、第一貫通孔（１２０´、１３３´）のエポキシとＡＣＦを介して、上部導電線（１１０´）へ電子的に接続される。
【００２３】
図６を参照して、タッチパネル（１ｂ）の第三実施例は、電子装置上部ケースの開口（２０）形に適合する。即ち、第一基板（１０）と第二基板の外形、及び上部と下部の透明導電フィルムは上部ケースの開口（２０）形状に適合する。従って、タッチパネル（１ｂ）は電子装置の内部空間を占有せず、製造コストダウンになる。
【００２４】
前記記述に基づき、この考案は、ＦＰＣが抵抗型タッチパネルの底面であることを提供する。更に、銀線のようなある導電線はタッチパネル底面上に形成される。従って、この考案は十分大きな可視領域を有するのみでなく、良好な平坦度も有する。
【００２５】
この考案の多くの特徴と利点は、本考案の構造と機能の詳細と共に、上記記述で説明されたが、本開示は説明のみである。詳細、特に部品の形状、寸法、及び配置において、本考案の原理内で、付属の特許請求の範囲で表現される語句の広範な一般的意味により表示される範囲迄変更してもよい。
【符号の説明】
【００２６】
1、１ａ、１ｂ：タッチパネル
２、３、４：切断線
１０、３０：第一基板
１１：上部透明導電フィルム
１３、３４：第二基板
１４、１４’、３２：ＦＰＣ
１５：スペーサ
１８：エポキシ
１９：金属球
２０：開口
３１：第一ＩＴＯフィルム
３３：第二ＩＴＯフィルム
４０：楕円形開口
１１０、３１１：Ｘ軸導電線
１１０´：上部導電線
１１１、３１２：第一引き出し線
１２０：貫通孔
１２０´、１３１、１３３、１３３´：第一貫通孔
１２１：ＡＣＦ
１３０、３３１：Ｙ軸導電線
１３０´：下部導電線
１３１´、１３１ａ、１３１ｂ、３３２ａ、３３２ｂ：第二引き出し線
１３１´ａ、３２２ｂ：引き出し線
１３２´１３２ａ：第二貫通孔
１３２ｂ：第三貫通孔
１４１：上部端子
【図１】
0003152077.tif 000003
【図２】
0003152077.tif 000004
【図３ａ】
0003152077.tif 000005
【図３ｂ】
0003152077.tif 000006
【図４】
0003152077.tif 000007
【図５】
0003152077.tif 000008
【図６】
0003152077.tif 000009
【図７】
0003152077.tif 000010
【図８】
0003152077.tif 000011
【図９】
0003152077.tif 000012